(57)【特許請求の範囲】
【請求項１】
浴室の壁面に取り付けられる支持部材と、
この支持部材に一端部側が軸支されており、前記支持部材が前記壁面に取り付けられた状態で垂下した非使用位置と上面が水平方向に広がった使用位置との間で回動する可動台と、
左右両側に設けられた一対の操作ボタンと、
前記可動台を前記使用位置に保持し、前記操作ボタンの両方が操作されると、前記可動台を前記使用位置に保持した状態を解除する保持装置と、
を備え、
前記保持装置は、
前記可動台の左右両側に設けられた一対の挿入孔に挿入されており、前記挿入孔から突出した先端部が前記可動台を前記使用位置に位置させた際に前記支持部材の左右両側に設けられた一対の係止孔に挿入され係止した係止状態と前記操作ボタンが操作されて前記先端部が前記係止孔から押し出された非係止状態との間を移動する一対の係止部材と、
これら係止部材の先端部が前記挿入孔から突出する方向に前記係止部材に弾性力を付与する一対の第１弾性部材と、
を有し、
前記操作ボタンは、
前記係止部材が前記係止状態であり前記支持部材の左右両端面に開口した前記係止孔の開口部から突出した突出位置と、この突出位置よりも内側に移動した押し込み位置との間を移動し、
前記突出位置にある前記操作ボタンが押し込み操作されると、前記操作ボタンが前記係止部材を前記係止孔の係止部から押し出して前記係止部材が前記非係止状態になる
ことを特徴とする浴室用カウンター。
【請求項２】
前記係止部材は、棒状であり、前記先端部の周縁部が先端に向けて径を小さくする方向に傾斜した傾斜面で形成されていることを特徴とする請求項１記載の浴室用カウンター。
【請求項３】
前記操作ボタンは、
前記係止孔に挿入されており、前記係止孔に挿入された前記係止部材に押されて前記支持部材の左右両端面に開口した前記係止孔の開口部から突出した突出位置とこの突出位置よりも内側に移動した押し込み位置との間を移動するボタン本体と、
このボタン本体が突出位置から押し込み位置へ移動する方向に弾性力を付与する第２弾性部材と、
を有していることを特徴とする請求項１又は２記載の浴室用カウンター。
【発明の詳細な説明】
【技術分野】
【０００１】
本発明は浴室用カウンターに関するものである。
【背景技術】
【０００２】
特許文献１は従来の浴室用カウンターを開示している。この浴室用カウンターは、支持部材（固定台）、及びロック機構を備えている。支持部材は浴室の壁面に取り付けられている。可動台は平板状である。この可動台は支持部材に取り付けられた横軸に一端部側が軸支されている。可動台は、支持部材から起立した非使用位置と上面が水平方向に広がった使用位置との間で回動する。ロック機構は、ロックシャフト、バネ、及びブラケットを有している。ロックシャフトは横軸に沿って設けられている。バネはロックシャフトを横軸の側に常時牽引している。ブラケットは可動台が非使用位置と使用位置との間を回動する際にロックシャフトを前端縁に摺接させて案内する。また、ブラケットは２個の切り欠きと支持部を有している。２個の切り欠きは、ブラケットの上下に離れた位置に設けられており、可動台が非使用位置に位置するとき、及び使用位置に位置するときにロックシャフトを係合する。支持部は可動台が使用位置に位置するときに可動台の側面から突き出されたストッパ部材が係止する。
【０００３】
この浴室用カウンターは、可動台が使用位置に位置するとき、ロックシャフトが下側の切り欠きに係合し、スットパ部材が支持部に係止するため、使用位置よりも下方に可動台が回動してしまうことを防止している。また、この浴室用カウンターは、可動台を入浴者等がバネの牽引力に抗して引き起こして非使用位置に位置させると、ブラケットの前端縁に沿って移動したロックシャフトがバネの牽引力で上側の切り欠きに係合するため、起立位置に保持することができる。
【先行技術文献】
【特許文献】
【０００４】
【特許文献１】特開２００１−２０４６４６号公報
【発明の概要】
【発明が解決しようとする課題】
【０００５】
しかし、特許文献１の浴室用カウンターは、可動台が起立した非使用位置に位置するとき、バネの牽引力のみでロックシャフトを切り欠きに係合させている。このため、この浴室用カウンターは入浴者等が意図せずにバネの牽引力よりも強い力が可動台にかかると入浴者等の意に反して可動台が非使用位置から使用位置方向に回動してしまう。
【０００６】
本発明は、上記従来の実情に鑑みてなされたものであって、可動台の使い勝手がよい浴室用カウンターを提供することを解決すべき課題としている。
【課題を解決するための手段】
【０００７】
本発明の浴室用カウンターは、浴室の壁面に取り付けられる支持部材と、
この支持部材に一端部側が軸支されており、前記支持部材が前記壁面に取り付けられた状態で垂下した非使用位置と上面が水平方向に広がった使用位置との間で回動する可動台と、
左右両側に設けられた一対の操作ボタンと、
前記可動台を前記使用位置に保持し、前記操作ボタンの両方が操作されると、前記可動台を前記使用位置に保持した状態を解除する保持装置と、
を備え、
前記保持装置は、
前記可動台の左右両側に設けられた一対の挿入孔に挿入されており、前記挿入孔から突出した先端部が前記可動台を前記使用位置に位置させた際に前記支持部材の左右両側に設けられた一対の係止孔に挿入され係止した係止状態と前記操作ボタンが操作されて前記先端部が前記係止孔から押し出された非係止状態との間を移動する一対の係止部材と、
これら係止部材の先端部が前記挿入孔から突出する方向に前記係止部材に弾性力を付与する一対の第１弾性部材と、
を有し、
前記操作ボタンは、
前記係止部材が前記係止状態であり前記支持部材の左右両端面に開口した前記係止孔の開口部から突出した突出位置と、この突出位置よりも内側に移動した押し込み位置との間を移動し、
前記突出位置にある前記操作ボタンが押し込み操作されると、前記操作ボタンが前記係止部材を前記係止孔の係止部から押し出して前記係止部材が前記非係止状態になることを特徴とする。
【０００８】
この浴室用カウンターは、可動台を使用位置に保持した保持装置を解除して、可動台を使用位置から非使用位置に回動することができる。この浴室用カウンターは、保持装置を解除するためには、入浴者等が左右両側に設けられた一対の操作ボタンの両方を操作しなければならない。このため、この浴室用カウンターは、左右両側に設けられた一対の操作ボタンのうちの一方の操作ボタンが入浴者等の意に反して操作されても、他方の操作ボタンが操作されなければ、可動台を使用位置から非使用位置に回動させることができない。つまり、この浴室用カウンターは、操作ボタンが左右両側に設けられているため、入浴者等が意図して操作しなければ、両方の操作ボタンを操作することができず、入浴者等の意に反して回動台が回動することを防止することができる。
さらに、この浴室用カウンターは、可動台を使用位置に回動させると係止部材が第１弾性部材の弾性力によって係止孔に挿入され、係止部材が係止孔に係止した係止状態になる。つまり、この浴室用カウンターは、可動台を使用位置に回動させるだけで、保持装置が可動台を使用位置に保持した状態にすることができる。また、この浴室用カウンターは、操作ボタンを操作して係止部材の先端部を係止孔から押し出すことによって、可動台を使用位置に保持した状態を解除することができる。このように、この浴室用カウンターは、可動台の使用位置の保持、及び可動台の使用位置の保持の解除を容易に行うことができる。
さらに、この浴室用カウンターは、係止部材が係止状態である場合には支持部材の左右両端面に開口した係止孔の開口部から突出した突出位置に操作ボタンが設けられており、この操作ボタンが押し込み操作されると係止部材が非係止状態になる。すなわち、この浴室用カウンターは、保持装置を解除するための操作ボタンが係止状態において係止孔の開口部から突出しており、この突出した操作ボタンが押し込み操作されることで保持装置が解除されるので、保持装置を解除するための操作が行いやすい。
【０００９】
したがって、この浴室用カウンターは可動台の使い勝手がよい。
【図面の簡単な説明】
【００１０】
【図１】実施例１の浴室用カウンターの可動台が使用位置に位置した状態を示す斜視図である。
【図２】実施例１の浴室用カウンターの可動台が非使用位置に位置した状態を示す斜視図である。
【図３】実施例１の浴室用カウンターにおいて、係止部材が係止孔に挿入された係止状態を示す要部断面図である。
【図４】図３の矢視Ｘ−Ｘ断面図である。
【図５】実施例１の浴室用カウンターにおいて、係止部材が係止孔から押し出された非係止状態を示す要部断面図である。
【図６】実施例１の浴室用カウンターにおいて、係止部材の傾斜面が係止孔の内側の開口縁部に係止した状態を示す要部断面図である。
【図７】図６の要部拡大断面図である。
【発明を実施するための形態】
【００１１】
本発明における好ましい実施の形態を説明する。
【００１４】
本発明の浴室用カウンターの保持装置の係止部材は、棒状であり、前記先端部の周縁部が先端に向けて径を小さくする方向に傾斜した傾斜面で形成され得る。この場合、この浴室用カウンターは、支持部材の左右両側に設けられた一対の操作ボタンの一方のみを操作し、一方の係止部材の先端部を係止孔から押し出すと、係止部材の先端部が係止孔から押し出された側が可動台の自重によってわずかに下がる。これによって、係止孔から押し出された係止部材の傾斜面が係止孔の内側の開口縁部に係止した状態になる。このように、一方の係止部材の先端部に形成された傾斜面が係止孔の開口縁部に係止した状態で、他方の操作ボタンを操作して他方の係止部材の先端部を係止孔から押し出すと、可動台の自重によって、一方の係止部材も係止孔の開口縁部に係止していることができなくなり、可動台は非使用位置に回動する。このため、この浴室用カウンターは、支持部材の左右両側に設けられた一対の操作ボタンを一つずつ操作して、一対の係止部材を一つずつ各係止孔から押し出すことによって、可動台を使用位置から非使用位置に回動させることができる。つまり、この浴室用カウンターは、支持部材の左右両側に設けられた一対の操作ボタンを同時に操作しなくても、操作ボタンを一つずつ操作すれば可動台を使用位置から非使用位置に回動させることができる。
【００１５】
本発明の浴室用カウンターの操作ボタンは、前記係止孔に挿入されており、前記係止孔に挿入されており、前記係止孔に挿入された前記係止部材に押されて前記支持部材の左右両端面に開口した前記係止孔の開口部から突出した突出位置とこの突出位置よりも内側に移動した押し込み位置との間を移動するボタン本体と、このボタン本体が突出位置から押し込み位置へ移動する方向に弾性力を付与する第２弾性部材とを有し得る。この場合、操作ボタンが操作され、係止部材を非係止状態にする等、係止部材が係止孔に挿入される方向に移動しない状態になると、ボタン本体は第２弾性部材の弾性力によって押し込み位置に移動した状態に維持される。このため、この浴室用カウンターは、操作ボタンの位置によって、係止孔に挿入されている係止部材の状態を判別することができる。
【００１６】
次に、本発明の浴室用カウンターを具体化した実施例１について、図面を参照しつつ説明する。
【００１７】
＜実施例１＞
実施例１の浴室用カウンターは、図１及び図２に示すように、支持部材１０、可動台３０、一対の操作ボタン５０，５０を備えている。支持部材１０は、壁面に取り付けられたブラケット１１を介して背面が浴室の壁面に対向する状態で取り付けられる（図４参照）。支持部材１０は、壁面に取り付けられた状態で壁面に沿って水平方向に伸びた中央部１３と、中央部１３の左右に位置する左右側部１５，１５とを有している。支持部材１０の中央部１３及び左右側部１５，１５は外側面を覆うカバー１３Ａ，１５Ａ，１５Ａを有している。また、支持部材１０は、図３に示すように、左右側部１５，１５に両端が固定された円柱状の軸部材１７を有している。軸部材１７は支持部材１０が壁面に取り付けられた状態で壁面に沿って水平方向に伸びている。
【００１８】
可動台３０は、図３及び図４に示すように、天板部３１、後縁部３３、左右縁部３５、及び前縁部３７を有している。天板部３１は支持部材１０の中央部とほぼ同じ幅を有した四角形状の平板である（図１及び図２参照）。後縁部３３は天板部３１の上面が水平方向に広がって可動台３０が使用位置になった状態で天板部３１の後辺に沿って下方に突出して設けられている。左右縁部３５は可動台３０が使用位置になった状態で天板部３１の左右辺に沿って下方に突出して設けられている。前縁部３７は可動台３０が使用位置になった状態で天板部３１の前辺に沿って下方に突出している。可動台３０は、図３に示すように、左右縁部３５に貫通孔３５Ａが形成されている。この貫通孔３５Ａは、水平方向に伸びており、支持部材１０に両端が固定された軸部材１７を挿通している。このため、可動台３０は、軸部材１７によって軸支され、支持部材１０が壁面に取り付けられた状態で垂下した非使用位置と天板部３１の上面が水平方向に広がった使用位置との間を回動することができる。
【００１９】
この浴室用カウンターは、図３に示すように、保持装置７０、及び制動装置８０を備えている。保持装置７０は浴室用カウンターの左右両端に設けられている。保持装置７０は、一対の係止部材７１と、一対の第１コイルばね（第１弾性部材）７３とを有している。係止部材７１は略円柱状である。また、各係止部材７１は可動台３０の左右縁部３５の夫々に設けられた有底の挿入孔７５に挿入されている。挿入孔７５は、水平方向に伸びており、外側にむけて開口している。各第１コイルばね７３は、挿入孔７５の底面と係止部材７１の端面との間に挟み込まれて各挿入孔７５内に収納されている。このため、各係止部材７１は先端部が挿入孔７５から突出する方向に第１コイルばね７３の弾性力が付与されている。各係止部材７１は両端部の周縁部が端方向に向けて径を小さくする方向に傾斜した傾斜面７１Ａで形成されている。傾斜面７１Ａは外側にわずかに膨らんだ湾曲面である。これによって、係止部材７１を挿入孔７５に挿入する際、係止部材７１の向きを考慮せずにどちらの端部から挿入孔７５に挿入しても、挿入孔７５から突出する係止部材７１の先端部の周縁部を傾斜面７１Ａにすることができる。
【００２０】
操作ボタン５０は、図１及び図２に示すように、支持部材１０の左右側部１５，１５の対称位置に一つずつ設けられている。操作ボタン５０は、後述するように、係止部材７１が係止状態であり支持部材１０の左右側部１５．１５の外側面（支持部材１０の左右両端面）に開口した係止孔９０の開口部９５から突出した突出位置と、突出位置よりも内側に移動した押し込み位置との間を移動する。
【００２１】
操作ボタン５０は、図７に示すように、ボタン本体５１と第２コイルばね（第２弾性部材）５３とを有している。ボタン本体５１はボタン部材５５とボルト部材５７とから構成されている。ボタン部材５５は、中央円筒部５５Ａ、操作面部５５Ｂ、及び外側円筒部５５Ｃを具備している。中央円筒部５５Ａは、一端側の開口からボルト部材５７がねじ込まれ、ボルト部材５７の頭部５７Ａの外径よりも小さい外径を有している。操作面部５５Ｂは、中央円筒部５５Ａの他端側を閉鎖した円盤形状であり、中央円筒部５５Ａの外形及びボルト部材５７の外径よりも大きい径を有している。外側円筒部５５Ｃは、操作面部５５Ｂの外周縁から中央円筒部５５Ａに平行であり、中央円筒部５５Ａと同じ方向に伸びている。このボタン本体５１は支持部材１０の左右両端面に開口した係止孔９０に挿入されている。
【００２２】
係止孔９０は、支持部材１０の左右側部１５を水平方向に貫通しており、可動台３０を使用位置に位置させた際に挿入孔７５から突出した係止部材７１の先端部が挿入することができる位置に設けられている。係止孔９０は、係止孔９０が係止する係止部９１と、ボタン本体５１が突出位置と押し込み位置との間を移動する際にボタン本体５１をガイドする略筒状のガイド筒部９３とを有している。このガイド筒部９３は係止部９１と同軸上に形成されている。このガイド筒部９３は、ボタン本体５１の中央円筒部５５Ａの外径よりもわずかに大きい内径である絞り部９３Ａと、第２コイルばね５３をボタン本体５１の中央円筒部５３Ａとの間で収納する収納部９３Ｂとを有している。このガイド筒部９３は外径がボタン本体５１の外側円筒部の内径よりもわずかに小さい。このガイド筒部９３は、ボタン本体５１が移動する際、絞り部９３Ａの内周面でボタン本体５１の中央円筒部５５Ａをガイドし、外周面でボタン本体５１の外側円筒部５５Ｃをガイドしている。
【００２３】
第２コイルばね５３は、ボタン本体５１の中央円筒部５５Ａにねじ込まれたボルト部材５７の頭部５７Ａと、ガイド筒部９３の絞り部９３Ａとの間に挟み込まれている。このため、ボタン本体５１は突出位置から押し込み位置に移動する方向に第２コイルばね５３の弾性力が付与されている。第２コイルばね５３は第１コイルばね７３の弾性力よりも小さい弾性力を有している。
【００２４】
制動装置８０は、図３及び図４に示すように、可動台３０の後縁部３３に設けられた凹部に組み込まれている。この制動装置８０は、パッド部材８１、２個の第３コイルばね８３、及び固定部材８５を有している。パッド部材８１は支持部材１０の軸部材１７の外周面に当接させる湾曲した当接面８１Ａを有している。また、パッド部材８１は、可動台３０の後縁部３３に固定された固定部材８５との間に第３コイルばね８３を挟み込んでいる。パッド部材８１は、当接面８１Ａを軸部材１７に当接する方向に第３コイルばね８３の弾性力が付与され、軸部材１７に常時第３コイルばね８３の弾性力によって押し付けられている。なお、軸部材１７は金属製で形成され、パッド部材８１は金属との接触摩擦相性の良い熱可塑性樹脂で形成されている。
【００２５】
このような構成を有する浴室用カウンターは、以下に示すように利用することができる。
浴室用カウンターは、非使用時において、図２に示すように、可動台３０が垂下した非使用位置に位置している。入浴者等は、可動台３０の天板部３１の上面に洗面器等を載置するために、可動台３０の前側を把持し、可動台３０を垂下した非使用位置から、図１に示すように、天板部３１の上面が水平方向に広がる使用位置に回動させる。すると、図３に示すように、支持部材１０の左右側部１５に設けられた一対の係止孔９０の中心軸と、可動台３０の一対の挿入孔７５に挿入された一対の係止部材７１の中心軸とが同一線上に位置する。この状態になると、第１コイルばね７３の弾性力によって、各係止部材７１は、先端部が各挿入孔７５から押し出され、各係止孔９０の係止部９１に挿入されて係止した係止状態なる。この際、第１コイルばね７３の弾性力が第２コイルばね５３の弾性力よりも大きいため、各係止部材７１の先端部が操作ボタン５０のボタン本体５１を外方向に押し、操作ボタン５０は突出位置に位置する。このようにして、可動台３０は使用位置に保持される。
【００２６】
次に、可動台３０を使用位置から非使用位置に回動させる場合、支持部材１０の左右両側に設けられた操作ボタン５０のボタン本体５１の操作面部５５Ｂに入浴者等が指の腹等を当接させて押し込み操作する。すると、図５に示すように、操作ボタン５０が係止部材７１を係止孔９０の係止部９１から押し出して非係止状態になる。支持部材１０の左右両側に設けられた操作ボタン５０の両方を同時に押し込み操作すれば、各係止部材７１が非係止状態になるため、可動台３０の自重で可動台３０は使用位置から非使用位置に回動する。この際、この浴室用カウンターは、制動装置８０のパッド部材８１が第３コイルばね８３の弾性力によって軸部材１７に押し付けられているため、可動台３０が急激に非使用位置に回動してしまわず、非使用位置まで減速しながら回動する。また、各係止部材７１が非係止状態になると、入浴者等が操作ボタン５０を押し込む操作を止めても、操作ボタン５０に設けられた第２コイルばね５３の弾性力によって、操作ボタン５０は、操作面部５５Ｂの外側面が支持部材１０の左右側部１５の外側面と略面一となる第１押し込み位置に保持される。
【００２７】
また、支持部材１０の左右両側に設けられた操作ボタン５０の一方のみを押し込み操作すると、押し込み操作がされていない操作ボタン５０側の係止部材７１は係止状態が維持されているため、押し込み操作された一方の操作ボタン５０側の可動台３０は、図６及び図７に示すように、その自重によって僅かに下がる。すると、押し込み操作をした操作ボタン５０側の係止部材７１は傾斜面７１Ａが係止孔９０の内側の開口縁部９７に係止した状態になる。また、押し込み操作をした操作ボタン５０は、第２コイルばね５３の弾性力によって、第１押し込み位置よりもわずかに突出した第２押し込み位置に保持される。このように、この浴室用カウンターは、可動台３０が使用位置に位置していても、一方の操作ボタン５０が第２押し込み位置に保持されていると、一方の係止部材７１が係止孔９０に完全に係止されていない状態（係止部材７１の傾斜面７１Ａが係止孔９０の内側の開口縁部９７に係止した状態）であることを判別することができる。そして、押し込み操作がされていない他方の操作ボタン５０を押し込み操作して、その操作ボタン５０側の係止部材７１を非係止状態にすると、可動台３０の自重によって、可動台３０は使用位置から非使用位置に回動する。この際も、この浴室用カウンターは、制動装置８０のパッド部材８１が第３コイルばね８３の弾性力によって軸部材１７に押し付けられているため、可動台３０が急激に非使用位置に回動してしまわず、非使用位置まで減速しながら回動する。
【００２８】
このように、この浴室用カウンターは、支持部材１０、可動台３０、一対の操作ボタン５０、及び保持装置７０を備えている。支持部材１０は浴室の壁面に取り付けられる。可動台３０は、支持部材１０に一端部側が軸支されており、支持部材１０が壁面に取り付けられた状態で垂下した非使用位置と天板部３１の上面が水平方向に広がった使用位置との間で回動する。一対の操作ボタン５０，５０は支持部材１０の左右両側に設けられている。保持装置７０は可動台３０を使用位置に保持し、操作ボタン５０の両方が操作されると、可動台３０を使用位置に保持した状態を解除する。この浴室用カウンターは、支持部材１０の左右両側に設けられた一対の操作ボタン５０，５０のうちの一方の操作ボタン５０が入浴者等の意に反して操作されても、他方の操作ボタン５０が操作されなければ、可動台３０を使用位置から非使用位置に回動させることができない。つまり、この浴室用カウンターは、操作ボタン５０が支持部材１０の左右両側に設けられているため、入浴者等が意図して操作しなければ、両方の操作ボタン５０を操作することができず、入浴者等の意に反して回動台が回動することを防止することができる。
【００２９】
したがって、実施例１の浴室用カウンターは可動台３０の使い勝手がよい。
【００３０】
また、この浴室用カウンターの保持装置７０は、係止部材７１と第１コイルばね７３とを有している。係止部材７１は可動台３０の左右両側に設けられた一対の挿入孔７５に挿入されており、挿入孔７５から突出した先端部が可動台３０を使用位置に位置させた際に支持部材１０の左右両側に設けられた一対の係止孔９０に挿入され係止した係止状態と操作ボタン５０が操作されて先端部が前記係止孔９０から押し出された非係止状態との間を移動する。第１コイルばね７３は係止部材７１の先端部が挿入孔７５から突出する方向に係止部材７１に弾性力を付与する。この浴室用カウンターは、可動台３０を使用位置に回動させると係止部材７１が第１コイルばね７３の弾性力によって係止孔９０に挿入され、係止部材７１が係止孔９０に係止した係止状態になる。つまり、この浴室用カウンターは、可動台３０を使用位置に回動させるだけで、保持装置７０が可動台３０を使用位置に保持した状態にすることができる。また、この浴室用カウンターは、操作ボタン５０を押して係止部材７１の先端部を係止孔９０から押し出すことによって、可動台３０を使用位置に保持した状態を解除することができる。このように、この浴室用カウンターは、可動台３０の使用位置の保持、及び可動台３０の使用位置の保持の解除を容易に行うことができる。
【００３１】
また、この浴室用カウンターの保持装置７０の係止部材７１は、円柱状であり、係止孔９０に挿入される先端部の周縁部が先端に向けて径を小さくする方向に傾斜した傾斜面７１Ａで形成されている。このため、この浴室用カウンターは、支持部材１０の左右両側に設けられた一対の操作ボタン５０，５０の一方のみを操作し、一方の係止部材７１の先端部を係止孔９０から押し出すと、可動台３０の自重によって、係止部材７１の先端部が係止孔９０から押し出された側が可動台３０の自重によってわずかに下がる。これによって、係止孔９０から押し出された係止部材７１の傾斜面７１Ａが係止孔９０の内側の開口縁部９７に係止した状態になる。このように、一方の係止部材７１の先端部に形成された傾斜面７１Ａが係止孔９０の開口縁部９７に係止した状態で、他方の操作ボタン５０を操作して他方の係止部材７１の先端部を係止孔９０から押し出すと、可動台３０の自重によって、一方の係止部材７１も係止孔９０の開口縁部９７に係止していることができなくなり、可動台３０は非使用位置に回動する。このように、この浴室用カウンターは、支持部材１０の左右両側に設けられた一対の操作ボタン５０を一つずつ操作して、一対の係止部材７１を一つずつ各係止孔９０から押し出すことによって、可動台３０を使用位置から非使用位置に回動させることができる。つまり、この浴室用カウンターは、支持部材１０の左右両側に設けられた一対の操作ボタン５０，５０を同時に操作しなくても、操作ボタン５０，５０を一つずつ操作すれば可動台３０を使用位置から非使用位置に回動させることができる。
【００３２】
また、この浴室用カウンターの操作ボタン５０はボタン本体５１と第２コイルばね５３とを有している。ボタン本体５１は、係止孔９０に挿入されており、係止孔９０に挿入された係止部材７１に押されて支持部材１０の左右両端面に開口した係止孔９０の開口部９５から突出した突出位置とこの突出位置よりも内側に移動した押し込み位置との間を移動する。第２コイルばね５３はボタン本体５１が突出位置から押し込み位置へ移動する方向に弾性力を付与している。このため、この浴室用カウンターは、操作ボタン５０が操作され、係止部材７１を非係止状態にする等、係止部材７１が係止孔９０に挿入される方向に移動しない状態になると、ボタン本体５１は第２コイルばね５３の弾性力によって第１押し込み位置又は第２押し込み位置に移動した状態に維持される。このため、この浴室用カウンターは、操作ボタン５０の位置によって、係止孔９０に挿入されている係止部材７１の状態を判別することができる。
【００３３】
本発明は上記記述及び図面によって説明した実施例１に限定されるものではなく、例えば次のような実施例も本発明の技術的範囲に含まれる。
（１）実施例１では、可動台の天板が四角形状であったが、他の形状であってもよい。
（２）実施例１では、係止部材が円柱状であったが、棒状であれば他の形状であってもよい。
（３）実施例１では、係止部材の両端部の周縁部が傾斜面で形成されていたが、一方の端部の周縁部のみ傾斜面で形成してもよい。この場合、周縁部が傾斜面で形成された端部が挿入孔から突出するように、係止部材を挿入孔に挿入する。
（４）実施例１では、係止部材の傾斜面が外側にわずかに膨らんだ湾曲面であったが、係止孔の内側の開口縁部に係止することができる傾斜面であればよく、平面状であってもよい。
（５）実施例１では、係止部材の両端部の周縁部が傾斜面で形成されていたが、係止部材の両端部の周縁部を傾斜面で形成しなくてもよい。
（６）実施例１では、第１弾性部材が第１コイルばねであったが、係止部材の先端部が挿入孔から突出する方向に弾性力を付与することができれば他の形態の弾性部材であってもよい。
（７）実施例１では、第２弾性部材が第２コイルばねであったが、ボタン本体が押し込み位置に移動する方向に弾性力を付与することができれば他の形態の弾性部材であってもよい。
（８）実施例１では、パッド部材を有する制動装置を利用したが、制動装置としてオイルダンパー等を利用してもよい。
（９）実施例１では、支持部材の左右側部の間に可動台が回動自在に軸支され、操作ボタンが支持部材の左右側部に設けられていたが、支持部材の左右を挟み込むように可動台の左右後端部を形成し、可動台の左右後端部の夫々に操作ボタンを設けてもよい。
【符号の説明】
【００３４】
１０…支持部材
３０…可動台
５０…操作ボタン
５１…ボタン本体
５３…第２コイルばね（第２弾性部材）
７０…保持装置
７１…係止部材
７１Ａ…（係止部材の）傾斜面
７３…第１コイルばね（第１弾性部材）
７５…挿入孔
９０…係止孔
９５…（支持部材の左右両端面に開口した）開口部
【図１】
0006434324.tif 000002
【図２】
0006434324.tif 000003
【図３】
0006434324.tif 000004
【図４】
0006434324.tif 000005
【図５】
0006434324.tif 000006
【図６】
0006434324.tif 000007
【図７】
0006434324.tif 000008